(57)【特許請求の範囲】
【請求項１】
相対的に接近又は離間可能に構成されたレンズユニットと絞りユニットとの間に設けられ、前記絞りユニットに立設された突起部を前記レンズユニットに穿孔された貫通孔に挿通して構成されている制止用機構と、
前記レンズユニットの像面側に設けられ、前記レンズユニットと前記絞りユニットとが所定間隔を開けた撮影状態にあるときに、前記レンズユニットと前記絞りユニットとの相対的な接近を前記制止用機構の前記突起部と当接することで制止するよう構成されたストッパ機構と、
前記ストッパ機構が前記制止用機構の前記突起部と当接しないように前記ストッパ機構を操作することで、前記絞りユニットの絞り開口内部に前記レンズユニットのレンズが挿入されるようにする解除操作機構と、を有することを特徴とする沈胴式レンズ鏡筒。
【請求項２】
前記ストッパ機構は、
前記絞りユニットの前記突起部の先端に当接して前記レンズユニットの前記貫通孔から前記突起部が延出する動作を制止することにより、前記レンズユニットと前記絞りユニットとが相対的に接近する動作を制止するように構成されていることを特徴とする請求項１に記載の沈胴式レンズ鏡筒。
【請求項３】
前記絞りユニットの絞りは、撮影状態での絞り最大開放径よりも開口部を大きくすることが可能であることを特徴とする請求項１又は２に記載の沈胴式レンズ鏡筒。
【請求項４】
前記絞りユニットの絞りは、虹彩絞りであることを特徴とする請求項１乃至請求項３の何れか１項に記載の沈胴式レンズ鏡筒。
【請求項５】
前記絞りユニットを挟んで前記レンズユニットとは反対側に配置されるバリア羽根を開閉するバリア開閉手段を更に備え、
前記レンズユニットと前記絞りユニットとを相対的に接近させたときに、前記解除操作機構が前記バリア開閉手段に当接して前記バリア開閉手段が前記バリア羽根を閉じると同時に、前記バリア開閉手段が前記ストッパ機構に当接して前記ストッパ機構が前記制止用機構の前記突起部と当接しないように前記ストッパ機構を操作し、
前記レンズユニットと前記絞りユニットとを相対的に離間させたときに、前記解除操作機構が前記バリア開閉手段と離間して前記バリア開閉手段が前記バリア羽根を開くと同時に、前記バリア開閉手段が前記ストッパ機構と離間して前記ストッパ機構が前記制止用機構の前記突起部と当接することで前記レンズユニットと前記絞りユニットとの相対的な接近が制止されることを特徴とする請求項１記載の沈胴式レンズ鏡筒。
【発明の詳細な説明】
【技術分野】
【０００１】
本発明は、撮影装置本体に対して、伸縮可能に装着される沈胴式レンズ鏡筒に関する。
【背景技術】
【０００２】
一般に、レンズ鏡筒を備えた撮影装置には、持ち運び時の可搬性を向上するため、カメラ等の撮影装置に装着した鏡筒を撮影装置本体内に沈胴させることにより小型化し、撮影時に鏡筒を繰出させて撮影するものがある。
【０００３】
さらに、沈胴式鏡筒付き撮影装置には、沈胴状態で絞りやシャッタを開いて、その開いた開口の中にレンズを収納することにより沈胴長を短縮する技術がある。フィルム用カメラの場合では、沈胴状態でも結像面を完全遮光する必要がある。しかし、デジタルカメラ（電子カメラ）では、沈胴状態での完全遮光の必要性が低下している。このため、デジタルカメラでは、小型化の要求に答えるため、この沈胴長を短縮する技術に対する需要が増加している。
【０００４】
このような沈胴長を短縮する手段を備えたデジタルカメラでは、開いた絞りやシャッタとレンズやレンズ枠との衝突を回避することが必要である。
【０００５】
この沈胴長を短縮する手段を備えたデジタルカメラでは、例えば、絞りやシャッタ等の光量制御部材を撮影状態にして沈胴するとレンズと当たってしまう。そこで、この沈胴長を短縮する手段を備えたデジタルカメラでは、光量制御部材が非退避位置にあるときにレンズ群と光量制御部材の接近を規制し阻止する。これと共に、強制移行部材を設けて沈胴するときや衝撃を受けたときに光量制御部材を強制的に動かして衝突を回避する技術が提案されている（例えば、特許文献１参照）。
【０００６】
また、この沈胴長を短縮する手段を備えたデジタルカメラでは、シャッタ羽根用電磁駆動手段の回転を阻止する仲介手段を設けたものが提案されている（例えば、特許文献２参照）。
【０００７】
このシャッタ羽根用電磁駆動手段の回転を阻止する仲介手段を設けたデジタルカメラでは、沈胴時にシャッタ羽根とレンズ群やレンズ枠の一部が接触するのに先立って、シャッタ羽根用電磁駆動手段の回転が仲介手段により阻止される。このため、この仲介手段を設けたデジタルカメラでは、大きな振動や衝撃がカメラに加わっても、各羽根が回転してレンズ群やレンズ枠に当接するようなことがない。
【先行技術文献】
【特許文献】
【０００８】
【特許文献１】特開２００４−３４７６１５
【特許文献２】特開２００７−２６４３５６
【発明の概要】
【発明が解決しようとする課題】
【０００９】
しかし、前述のような従来の沈胴時に絞り羽根の回転を防止する手段は、ステッピングモータを用いてステッピングモータの回転位相により絞りの開口制御をしている虹彩絞り機構に適用することが困難である。これは、ステッピングモータで駆動する虹彩絞り機構では、強制的に絞り羽根を動かして開口を広げた状態にすると、ステッピングモータの制御と虹彩絞り機構の絞り開口が一致しなくなる。このためステッピングモータを強制的に回転させるか、ステッピングモータを脱調させることとなり、いずれの場合もステッピングモータの制御が狂ってしまうという問題がある。なお、このようにステッピングモータの制御が狂った場合には、強制的に絞り開口が動かされたかどうかを検知し、絞り制御の状態をリセットして元に戻す必要がある。
【００１０】
本発明の目的は、絞りユニットが、レンズユニットと接触することを回避するようにした沈胴式レンズ鏡筒を提供することを目的とする。
【課題を解決するための手段】
【００１１】
上記目的を達成するために、請求項１記載の沈胴式レンズ鏡筒は、相対的に接近又は離間可能に構成されたレンズユニットと絞りユニットとの間に設けられ、前記絞りユニットに立設された突起部を前記レンズユニットに穿孔された貫通孔に挿通して構成されている制止用機構と、前記レンズユニットの像面側に設けられ、前記レンズユニットと前記絞りユニットとが所定間隔を開けた撮影状態にあるときに、前記レンズユニットと前記絞りユニットとの相対的な接近を前記制止用機構の前記突起部と当接することで制止するよう構成されたストッパ機構と、前記ストッパ機構が前記制止用機構の前記突起部と当接しないように前記ストッパ機構を操作することで、前記絞りユニットの絞り開口内部に前記レンズユニットのレンズが挿入されるようにする解除操作機構と、を有することを特徴とする。
【発明の効果】
【００１２】
本発明によれば、絞りユニットが、レンズユニットと接触することを防止できる。また、虹彩絞りをステッピングモータで駆動するよう構成した場合には、虹彩絞り機構と、沈胴状態の鏡筒との接触を防止する際に脱調したり制御が狂ったりしないようにできるという効果がある。
【図面の簡単な説明】
【００１３】
【図１】本発明の第１実施の形態に係わるデジタルカメラにおける鏡筒部分の撮影状態を示す断面図である。
【図２】本発明の第１実施の形態に係わるデジタルカメラにおける鏡筒部分の沈胴状態を示す断面図である。
【図３】本発明の第１実施の形態に係わるデジタルカメラにおける２群レンズユニットと絞りユニットの撮影状態において、ＣＣＤ保持枠のカム部を分離した状態で示す要部斜視図である。
【図４】本発明の第１実施の形態に係わるデジタルカメラにおける２群レンズユニットと絞りユニットの沈胴状態を示す要部斜視図である。
【図５】本発明の第１実施の形態に係わるデジタルカメラにおける絞りユニットの構造を示す分解斜視図である。
【図６】本発明の第２実施の形態に係わるデジタルカメラにおける鏡筒部分の撮影状態を示す断面図である。
【図７】本発明の第２実施の形態に係わるデジタルカメラの鏡筒におけるバリアと絞りユニットとの関係を示す断面図である。
【図８】本発明の第２実施の形態に係わるデジタルカメラにおける２群レンズユニットと絞りユニットの撮影状態で、ＣＣＤ保持枠が分離された状態を示す要部の分解斜視図である。
【図９】本発明の第２実施の形態に係わるデジタルカメラにおける２群レンズユニットと絞りユニットとが沈胴状態とされたときの要部を示す要部斜視図である。
【発明を実施するための形態】
【００１４】
以下、本発明の第１実施の形態について、図１乃至図５を参照しながら説明する。
【００１５】
図１及び図２において、１０は、沈胴式鏡筒付き撮影装置であるデジタルカメラ（電子カメラ）に装着される沈胴式鏡筒の１群筒１における、１群レンズを保持する筒であり、１１はバリア駆動環である。このバリア駆動環１１の結像面側には、レバー１１ａが一体に形成されている。
【００１６】
この図１及び図２で、１３は沈胴式鏡筒に装着されたバリア羽根である。このバリア羽根１３は、バリア駆動環１１の回転により回転駆動されて、１群レンズ１を保護する位置と開口を空ける位置との間を移動可能に装着されている。
【００１７】
この沈胴式鏡筒では、バリア羽根１３の被写体側の前面に、バリアカバー１２が配置されている。このバリア羽根１３は、開口を空ける状態とされたときに、バリアカバー１２によって被写体側から見て完全に覆われて隠れるように構成されている。
【００１８】
この図１及び図２で、１４は、バリアカバー１２と１群筒１０とを覆う化粧板である。この図で、１５は遮光板であり、１群筒１０の結像面側に取り付けられ、１群レンズ１を通過する光を規制している。
【００１９】
この図１及び図２で、２０は、２群レンズユニットを構成するための２群保持枠であり、２群レンズ２を保持している。この図で、２１は２群レンズユニットの一部を構成する２群地板、２２は絞りユニットの一部を構成する絞り地板である。この２群レンズユニットの一部を構成する２群地板２１と、絞りユニットの一部を構成する絞り地板２２とは、２群地板２１と一体に形成されたガイド部２１ａにより光軸方向に移動可能に規制支持されている。
【００２０】
また２群保持枠２０は、不図示の既存のシフト防振機構により２群地板２１内に、光軸と垂直な平面上にある任意の方向に移動可能な状態で保持される。この２群保持枠２０は、鏡筒の揺れに応じて揺動することにより、シフト防振作用を奏する。
【００２１】
この図１及び図２で、２８は、絞り地板２２を片寄せする弾性部材としての圧縮スプリングである。なお、２群レンズユニットと絞りユニットとの詳細の構成は後述する。
【００２２】
この図１及び図２で、３５はシャッタ羽根で、２群地板２２に取り付けられている。このシャッタ羽根３５は、不図示のアクチュエータによって駆動されることにより、鏡筒のレンズ光学系の光路を遮断または露出させる動作を行う。この図で、３０は、３群保持枠であり、３群レンズ３を保持している。
【００２３】
この沈胴式鏡筒では、３群レンズ３を、沈胴繰出し操作、ズーム動作によって光軸方向前後に移動するよう装着する。これと共に、この沈胴式鏡筒では、３群レンズ３を、フォーカス合わせのため光軸方向前後に移動するよう装着する。
【００２４】
このため、この沈胴式鏡筒では、３群レンズ３を保持する３群保持枠３０を、図示しないガイド軸により光軸方向前後に移動自在に支受する。
【００２５】
さらに、この沈胴式鏡筒では、３群レンズ３を保持する３群保持枠３０を、フォーカス機構によって光軸方向前後に移動制御可能に構成する。
【００２６】
３群レンズ３駆動用のフォーカス機構は、送りねじ軸を駆動源としてのステッピングモータで回動制御し、この送りねじ軸に螺合されたナット部品を送り操作する送りねじ機構（送り操作用のアクチュエータ）を利用して構成する。
【００２７】
この３群レンズ３駆動用のフォーカス機構では、ナット部品を３群レンズ３を保持する３群保持枠３０に接続する。これにより、このフォーカス機構では、ステッピングモータで回動制御された送りねじ軸の回転量に応じて、ナット部品と一体的に３群保持枠３０をガイド軸に沿って光軸方向前後に移動制御する動作を行う。
【００２８】
この図１及び図２で、４０はＣＣＤ保持枠、４は赤外カットフィルター、５はＣＣＤ、４１はＣＣＤ保持板である。ＣＣＤ保持枠４０は、赤外カットフィルター４を備え、ＣＣＤ５を光軸方向に対して被写体側に向けて保持する。
【００２９】
このＣＣＤ５はＣＣＤ保持板４１に取り付けられている。ＣＣＤ保持板４１は、ＣＣＤ保持枠に取り付けられている。
【００３０】
この図１及び図２で、４０ａは、バリアを駆動するためカム部である。この図で、４０ｂは、後述する２群地板２１に取り付けられたロック部材２３を回転されるためのカム部であり、それぞれのカム部４０ａ、カム部４０ｂはＣＣＤ保持枠４０に一体に形成されている。
【００３１】
この図１及び図２で、４３は固定カム筒、４４は移動カム筒、４５は直進筒である。移動カム筒４４は、固定カム筒４３のカムに沿って動くように装着されている。直進筒４５は、固定カム筒４３のガイド溝に沿って光軸方向に直進移動が可能なように構成されている。
【００３２】
なお、図示しないが、この沈胴式鏡筒では、送り操作用のアクチュエータにより移動カム筒４４に回転駆動力を伝達する。すると、移動カム筒４４に設けられたカムピンが固定カム筒４３の内周にあるカム溝にガイドされて動くようになっているため、移動カム筒４４は、回転しながら光軸方向に直進する。
【００３３】
この沈胴式鏡筒では、１群筒１０が直進筒４５にガイドされて光軸方向に直進移動可能に支持されている。また１群筒１０は、カムピン（不図示）により移動カム筒４４の内周にあるカム溝（不図示）に沿って動くようになっている。このため、１群筒１０は、移動カム筒４４の回転に従って光軸方向前後に移動する。
【００３４】
また、この沈胴式鏡筒では、２群地板２２にも同様にカムピン（不図示）がある。そして１群筒１０と同様に、２群地板２１は、２群保持枠２０及び絞り地板２２、他の２群及び絞りの各部品を伴なう一体的な部品となり、移動カム筒４４内のカム溝に沿って光軸方向前後に移動する。
【００３５】
次に２群レンズユニットと絞りユニット周りの関係を図３及び図４を参照しながら説明する。
【００３６】
この図３及び図４で、２３は、ロック部材であり２群地板２１に既存のバヨネット機構により取り付けられている。２１ｃは、光軸と平行な軸と爪を持つバヨネット軸部である。
【００３７】
このロック部材２３は、バヨネット軸部２１ｃを中心軸として回転可能に支持され、かつ光軸方向に動かないようにバヨネット軸部２１ｃの爪で押さえられている。
【００３８】
２４は、弾性部材としてのトーションスプリングであり、ロック部材２３を、図３の矢印Ａで示す回転方向に片寄せするよう付勢する。ロック部材２３にはカム部２３ａを備えており、そのカム部２３ａの凸形状にはトーションスプリング２４の片側が引っ掛かっている。
【００３９】
２１ｄは、２群地板に一体に形成されたストッパ部で、トーションスプリング２４によって矢印Ａの片寄せ方向に付勢されたロック部材２３の一部が突き当てられる。これによりロック部材２３は、ストッパー部２１ｄに圧接した状態で片寄せ方向の回転動作が制止される。
【００４０】
このストッパー部２１ｄは、ロック部材２３が突き当てられている部分の逆側にトーションスプリング２４の片側を引っ掛けるように構成されている。
【００４１】
この図３及び図４で、２９は、押さえ板で、フック部２９ａと爪部２１ｂとを引っ掛ける作用により係止され２群地板２１に固定されている。
【００４２】
この２群地板２１と絞り地板２２は、弾性部材としての圧縮スプリング２８によって互いに離れる方向に付勢されている。
【００４３】
図１及び図３に示す鏡筒が繰出されている撮影状態では、押さえ板２９の突片の小矩形開口内部に挿入された絞り地板２２の凸部２２ｂが矢印Ｅ方向に突き当てられた状態となる。これにより絞り地板２２は、光軸方向に片寄せするように付勢された状態とされる。
【００４４】
この絞り地板２２には、円柱状の突起部２２ａを一体的に突設する。この突起部２２ａは、２群地板２１の貫通穴に挿通されて、突起部２２ａの先端部を２群地板２１の平面上に配置されたロック部材２３側に臨ませる。
【００４５】
図３に示す撮影状態では、ロック部材２３は、トーションスプリング２４の付勢力により矢印Ａで示す方向に回転するよう付勢されている。この撮影状態では、絞り地板２２に突設された突起部２２ａが、２群地板２１から突出しないようロック部材２３の制止用突片部分により押さえられた制止状態となっている。
【００４６】
このため、撮影状態では、２群地板２１と絞り地板２２との間の距離が縮もうとすると、突起部２２ａの頭部がロック部材２３の制止用突片部分に押さえられて、２群地板２１の貫通穴から突出できない制止状態となっている。よって、２群地板２１と絞り地板２２との間の距離が縮んで、沈胴状態へ移行することを防止できる。
【００４７】
すなわち、この沈胴式鏡筒では、撮影状態のときに、落下、振動等の衝撃力（外力）が加わると、圧縮スプリング２８を縮めながら光軸方向の結像側に向かって絞り地板２１が動こうとする。しかし、この沈胴式鏡筒では、２群地板２１上のロック部材２３の制止用突片部分が絞り地板２２に突設した突起部２２ａの先端部に当たって、２群地板２１と絞り地板２２との距離が縮むことを阻止する。よって、この沈胴式鏡筒では、絞り地板２２が２群地板２１に近づくことを阻止できる。
【００４８】
次に、鏡筒が繰り込まれて収納されている図２及び図４の沈胴状態の場合について説明する。
【００４９】
この沈胴状態では、レンズユニットのロック部材２３側が、光軸方向に沿ってＣＣＤ保持枠４０側に移動する。すると、ロック部材２３に一体的に設けられたカム部２３ａの斜面状のカム面にＣＣＤ保持枠４０に立設された柱部材先端のカム部４０ｂが摺接し、トーションスプリング２４の弾性力に抗してロック部材２３を矢印Ｄ方向に回動する。これにより、ロック部材２３の制止用突片部分は、突起部２２ａの先端から横に外れて突起部２２ａが貫通孔から延出する動作を許すロック解除状態まで回動される連動動作を行う。
【００５０】
要するに、このロック解除状態では、ロック部材２３の制止用突片部分が光軸の位置に近づくように回動される。そして、ロック部材２３の制止用突片部分が、２群地板２１の突起部２２ａを挿通した貫通穴の開口から離脱された状態へ連動動作される。このため、このロック解除状態では、突起部２２ａが２群地板２１の貫通穴から突出することをロック部材２３によって妨げられない状態となっている。
【００５１】
そこで、この沈胴式鏡筒では、突起部２２ａを２群地板２１の貫通穴から突出させながら、絞り地板２２と２群地板２１が圧縮スプリング２８の弾性力に抗して近づいた沈胴状態にセットできる。
【００５２】
次に、絞りユニットについて図５により説明する。
【００５３】
図５で、２５は風車、２６は絞り羽根、３６はアクチュエータとしてのステッピングモータ、３７はステッピングモータに電気信号を送るためのフレキシブル基板である。
【００５４】
この絞りユニットは、ステッピングモータ３６を駆動制御して風車を回転させ、風車２５に形成されたカムで複数の絞り羽根２６を回転駆動することにより絞りの開口径を変化させるように構成されている。この阻止状態の開口径は、撮影時の最大開放径よりも大きな開口径に開くことができるように構成されている。図２に示すように、この沈胴式鏡筒では、沈胴状態のときに、２群保持枠２０よりも大きな径に開くことにより、開口内部に２群保持枠２０を収容することが可能に構成されている。このように構成した沈胴式鏡筒では、沈胴長を縮めることができる。
【００５５】
図５で、２７は絞りカバーであり、絞り羽根２６を覆って蓋をするように構成されている。この絞りユニットでは、絞り羽根の動作は絞りユニット内で完結しており、絞り開口径はステッピングモータ３６の駆動動作によってのみ変更される。
【００５６】
次に、この沈胴式鏡筒における、沈胴状態からの繰出し動作について説明する。
【００５７】
図示しないが、デジタルカメラ本体の操作キーにより操作者がデジタルカメラの電源をオンにする。すると、このデジタルカメラでは、ズームアクチュエータであるＤＣモータと減速機構によって駆動力が移動カム筒４４に伝達されて、沈胴状態にある移動カム筒４４が回転する。
【００５８】
ここで、移動カム筒４４と固定カム筒４３には、沈胴状態からワイド端の撮影状態、さらにワイド端からテレ端に至る撮影状態のズームカムがカム溝として形成されている。
【００５９】
このデジタルカメラでは、電源がオンにされたときに、移動カム筒４４がワイド端状態の所まで回転して停止する。これにより１群筒１０と２群地板２１は、光軸方向被写体側にワイド端の位置まで移動する。
【００６０】
この撮影状態では、前述の通り２群地板２１と絞り地板２２が圧縮スプリング２８の付勢力により相互に離れる方向に付勢されているため、ズームカムにより２群地板の位置がきまれば絞りの光軸方向の位置も決まる。この位置では、絞り羽根の内部には何もないので、絞り羽根を自由に動かすことが可能であり、図１のように２群レンズ２の径より小さく絞ることが可能になる。
【００６１】
このデジタルカメラでは、ズーミングするときに１群筒１０と２群地板２１がズームのカムに従ってワイド端からテレ端まで動く。３群保持枠は、既存のステッピングモータで駆動されるコンピュータズームの手段によって、ズームカムに沿って光軸方向前後に所要位置まで移動される。
【００６２】
次に、この沈胴式鏡筒付きのデジタルカメラにおける沈胴動作について説明する。まずフォーカスアクチュエータであるステッピングモータ（不図示）を回転させて３群保持枠３０を、赤外カットフィルターの近くまで光軸方向結像側に移動させる。同時に絞り動作用のステッピングモータ３６を駆動して絞り羽根２６を全開まで開く。
【００６３】
次に、撮影状態から沈胴状態へ移行するため、前述の繰出し動作とは逆方向の駆動力をズームアクチュエータであるＤＣモータ（不図示）に加えて移動カム筒４４を逆回転する。すると、固定カム筒４３と移動カム筒４４上のそれぞれのカム溝の作用により、移動カム筒４４は、光軸方向に沿って結像面側に移動する。これと共に、１群筒１０と２群地板２１とは、それぞれ移動カム筒４４のカム溝に案内され光軸方向に沿って結像面側に移動する。
【００６４】
上述の動作で、カム部４０ｂは、相対的に図４の矢印Ｃ方向に移動したことになる。そして、ロック部材２３は、カム部４０ｂとカム部２３ａの作用により、トーションスプリング２４の弾性力に抗して矢印Ｄ方向に回転し、ロック部材２３が突起部２２ａを制止する阻止状態が解除される。
【００６５】
次に、１群筒１０に取り付けられた遮光板１５は、撮影状態のワイド端から沈胴位置まで移動する途中で、２群の絞りカバー２７と衝突し、その後、沈胴状態に至るまで絞りカバー２７を図４の矢印Ｅ方向に押し続ける。
【００６６】
この動作により絞り地板２２を含む絞りユニット全体は、２群地板２１側に向けて、圧縮スプリング２８の力に抗して矢印Ｅ方向に押し付けられる。また同時に、バリア駆動環１１は、レバー１１ａとカム部４０ａとが光軸方向に移動して合わされることで、ロック部材２３と同様の作用により回転する。これによりバリア羽根１３は回転して開口部が閉じる。
【００６７】
以上のようにして図２及び図４に示す沈胴状態になる。この沈胴状態では、絞り地板２２が２群地板２１側に押し付けられ、絞り羽根の光軸方向での位置が２群レンズ２、２群保持枠２０と重なった位置になる。
【００６８】
要するに、本第１実施の形態に係わるデジタルカメラでは、沈胴式鏡筒の構成部材である、２群レンズ２を設置した２群地板２１と、絞り羽根２６を装着した絞り地板２２とを、相対的に接近し又は離間可能に構成する。すなわち、このデジタルカメラでは、２群レンズ２を備えたレンズユニットと、絞り羽根２６を備えた絞りユニットとを相対的に接近し又は離間可能に構成する。
【００６９】
本第１実施の形態に係わるデジタルカメラでは、２群地板２１と絞り地板２２とが、撮影状態となって所定距離だけ離間しているときに、沈胴状態へ移行することをストッパ機構と相俟って制止する、制止用機構を設ける。
【００７０】
この制止用機構は、撮影状態で絞り地板２２に装着した絞り羽根２６が閉じた動作中に沈胴動作して、閉じた絞り羽根２６に、２群地板２１に設置した２群レンズ２が当たることを防止できるように構成する。
【００７１】
このため、絞り地板２２における２群地板２１に対向する表面上の所定位置には、円柱状の突起部２２ａを突設する。これと共に、２群地板２１の所定位置には、突起部２２ａを摺動自在に挿通する円形透孔である挿通穴を穿孔する。
【００７２】
そして、２群地板２１の挿通穴に、絞り地板２２の円柱状の突起部２２ａを挿通した状態で、２群地板２１と絞り地板２２とが相対的に接近又は離間して、撮影状態と沈胴状態とに移行可能に構成する。
【００７３】
さらに、絞り地板２２の円柱状の突起部２２ａの高さは、撮影状態において、２群地板２１の裏面側（ＣＣＤ保持枠４０に向いた平面側）と突起部２２ａの先端面とが面一の状態又は所定高さ突出する状態となるように形成する。
【００７４】
また、この制止用機構には、撮影状態において、突起部２２ａが２群地板２１の裏面側に延出する動作を制止して、絞り地板２２と２群地板２１との間の距離が縮まないようにするための、ストッパ機構を設ける。
【００７５】
このストッパ機構を構成するため、２群地板２１の裏面上の突起部２２ａを挿通する挿通穴の近くには、ロック部材２３を軸着する。このロック部材２３には、略円形平板状の軸受け部分の一部から突片状の突起部押さえ部分を突設する。これと共に、このロック部材２３には、略円形平板状の軸受け部分における突起部押さえ部分と反対側に、ロック部材２３を回わし操作するためのカム部２３ａを配設する。
【００７６】
このロック部材２３は、略円形平板状の軸受け部分の中央部に穿孔した軸孔に軸部材を挿通して、この軸部材の回りで回動自由となる状態で支受される。
【００７７】
このロック部材２３の突起部押さえ部分は、突起部２２ａが挿通穴から延出する動作を制止するため、挿通穴を覆って突起部２２ａの先端を押さえられる舌片状に形成する。
【００７８】
また、ロック部材２３のカム部２３ａは、略円形平板状の軸受け部分の回転中心からラジアル方向に延出すると共に、軸受け部分の表面から立ち上がる略台形状に形成する。このカム部２３ａは、ロック部材２３の回転中心に対して円周方向に延びると共に、略台形状の頂部から軸受け部分の表面に至る所定傾斜角度に形成した斜面を、カム面として構成してある。
【００７９】
また、２群地板２１の裏面上の所定位置には、ロック部材２３の突起部押さえ部分が突起部２２ａの挿通穴を覆う位置で回動動作を制止するための小円柱状に形成されたストッパ部２１ｄを突設する。
【００８０】
そして、ねじりコイルばねであるトーションスプリング２４のコイル部分を、ロック部材２３を軸着する軸部材に挿通させて配置する。そして、トーションスプリング２４の一方の端部をストッパ部２１ｄに係止させ、他方の端部をカム部２３ａに係止させた状態に架設する。これにより、ロック部材２３は、トーションスプリング２４に付勢されることにより、突起部押さえ部分が突起部２２ａの挿通穴を覆う位置へ向けて回動し、ストッパ部２１ｄに制止された、制止状態に至るように動作する。
【００８１】
また、このストッパ機構では、制止状態にあるロック部材２３を軸部材の回りに回動させて、突起部押さえ部分が突起部２２ａの挿通穴から離脱した開放状態（解除状態）へ移動させるための、解除操作機構を設ける。この解除操作機構は、ロック部材２３に設けたカム部２３ａをＣＣＤ保持枠４０に立設された柱部材先端のカム部４０ｂで操作することにより、ロック部材２３を回動するロック部材操作手段で構成する。
【００８２】
このロック部材操作手段を構成するため、ＣＣＤ保持枠４０における２群地板２１に対向する表面上で、ロック部材２３のカム部２３ａに対応する位置には、先端部にカム部４０ｂを形成した所定高さの柱状部材を立設する。
【００８３】
この先端部にカム部４０ｂを形成した柱状部材は、２群地板２１と突起部２２ａとが撮影状態の間隔を保ったままＣＣＤ保持枠４０側へ移動して沈胴状態の位置に至る直前に、カム部４０ｂがカム部２３ａを操作するように構成する。この柱状部材のカム部４０ｂは、沈胴状態の直前に、カム部２３ａのカム斜面に摺接してロック部材２３を回動操作し、ロック部材２３の突起部押さえ部分が突起部２２ａの挿通穴から離脱した開放位置へ移動するよう構成されている。
【００８４】
上述のように構成された沈胴式鏡筒付きのデジタルカメラでは、図１に示す撮影状態において、突起部２２ａの突出をロック部材２３が制止しているので、２群地板２１と絞り地板２２との間隔が狭まらないようにできる。よって、例え、デジタルカメラに落下衝撃等の外力が加わった場合でも、絞り地板２２に装着した撮影状態で閉じている絞り羽根２６に、２群地板２１に配置した２群レンズ２が当たることを回避することができる。
【００８５】
また、撮影状態から沈胴状態へ移行する場合には、絞り羽根２６を全開にした状態で、絞り地板２２と２群地板２１とを所定間隔をあけた状態でＣＣＤ保持枠４０側へ移動する。そして、沈胴状態へ至る前に、ＣＣＤ保持枠４０側のカム部４０ｂが制止位置にあるカム部２３ａを操作してロック部材２３を開放状態へ移動する。
【００８６】
この後、２群地板２１と絞り地板２２との間隔を狭めるように移動すると、２群レンズ２は、絞り羽根２６が全開状態に開いてできた空間内へ入り込み、図２に示す沈胴状態へ移行する。
【００８７】
なお、沈胴状態から撮影状態へ移行する場合には、上述とは逆の動作によって行うことができる。
【００８８】
よって、上述した沈胴式鏡筒付きのデジタルカメラによれば、ステッピングモータを用いた虹彩絞り機構が、沈胴状態になった鏡筒と接触することを防止できる。また、上述した沈胴式鏡筒付きのデジタルカメラによれば、虹彩絞りを駆動するステッピングモータを、虹彩絞り機構と沈胴状態の鏡筒との接触を防止するために強制的に駆動する必要がない。よって、虹彩絞りを駆動するステッピングモータが、虹彩絞り機構と、沈胴状態の鏡筒との接触を防止するために脱調したり制御が狂ったりしないようにできる。
【００８９】
次に、本発明の第２実施の形態について、図６乃至図９を参照しながら説明する。
【００９０】
本第２実施の形態は、前述した第１実施の形態の一部の構成を変更したものである。この変更に係わる部分は、ＣＣＤ保持枠９０の持つカム部がカム部９０ａのみになっていることと、それに合わせてロック部材７３の形状を変えている点である。よって、本第２実施の形態では、変更部のみを重点的に説明し、第１実施の形態と同じ部分の説明を省略する。なお、図８、図９では、見やすくするためにＣＣＤ保持枠９０を、カム部９０ｂのみを切り抜いて断片的に表示している。
【００９１】
本第２実施の形態に係わる沈胴式鏡筒付きのデジタルカメラでは、ロック部材７３は、撮影状態において、トーションスプリング７４で矢印Ｆ方向に片寄せされて、突起部７２ａを阻止する位置となるように付勢されている。また、絞り地板７２は、本第１実施の形態と同様に、圧縮スプリング７８により矢印Ｇ方向に片寄せされるよう付勢されている。
【００９２】
この沈胴式鏡筒付きのデジタルカメラでは、撮影状態から沈胴状態に至る途中で、カム部９０ａとバリア駆動環６１のレバー部６１ａとが、相対的に光軸方向に対してそれぞれ矢印Ｉ、矢印Ｈで示す方向に移動する。
【００９３】
そして、この相対移動により、ＣＣＤ保持枠９０のカム部９０ａの斜面に形成されたカム面には、レバー部６１ａの斜面が押し付けられながら摺動することになる。すなわち、レバー部６１ａが絞り地板７２に接近する方向へ移動する。すると、レバー部６１ａがカム部９０ａの斜面にガイドされ、レバー部６１ａを一体的に突設したバリア駆動環６１（回動用部材）は、矢印Ｊ方向（円周方向）に回転する。
【００９４】
このときバリア羽根６２は、閉じ始めると同時にバリア駆動環６１（回動用部材）のレバー部６１ａがロック部材７３のレバー部７３ａを矢印Ｊ方向に回転させるように押す。
【００９５】
この結果、レバー部７３ａが回転方向矢印Ｋ方向に押される。するとロック部材７３は、トーションスプリングの弾性力に抗して矢印Ｋ方向に回転する。この回転動作によりロック部材７３は、突起部７２ａを阻止する位置から離脱して、突起部７２ａの阻止を解除した状態となる。
【００９６】
この後、２群地板７１と絞り地板７０は、２群地板７１が矢印Ｌ方向に移動して近づくことにより、図７に示す沈胴状態に至る。
【００９７】
要するに、本第２実施の形態に係わるデジタルカメラでは、第１実施の形態と同様に、２群地板７１と絞り地板７２とが撮影状態のときに、沈胴状態へ移行することをストッパ機構と相俟って制止する、制止用機構を設ける。これと共に、この制止用機構には、前述した第１実施の形態と同様に、撮影状態において、突起部７２ａが２群地板７１の裏面側に延出する動作を制止するための、ストッパ機構を設ける。
【００９８】
そして、本第２実施の形態に係わるデジタルカメラでは、ストッパ機構を解除動作させる解除操作機構を、絞り地板７２、ＣＣＤ保持枠９０、バリア駆動環６１（回動用部材）に渡って構成する。要するに、このデジタルカメラでは、いわゆるバリア機構とストッパ機構のカム部を共通化して機構を簡略化する構成としている。
【００９９】
この解除操作機構を構成するため、図６乃至図９に示すように、ストッパ機構のロック部材７３には、レバー部７３ａを設ける。このため、ロック部材７３には、略円形平板状の軸受け部分における突起部押さえ部分から所定角度開いた位置に突片状のアーム突出部を突設する。さらに、このロック部材７３に突設したアーム突出部の自由端部には、バリア駆動環６１（回動用部材）側に向けて延出する円柱状のレバー部７３ａを突設する。このレバー部７３ａの自由端頭部には、レバー部６１ａをガイドするために、円錐台形のガイド頭部を形成する。
【０１００】
また、解除操作機構を構成するため、光軸の回りに回動可能に装着されたバリア駆動環６１（回動用部材）の外周部の所定位置には、光軸方向と平行に延出する角柱状の被動用のレバー部６１ａを突設する。図８に示すように、このバリア駆動環６１に一体的に配置された被動用のレバー部６１ａは、バリア駆動環６１の沈胴動作時に、制止状態にあるロック部材７３のレバー部７３ａの横近傍に隣接する位置に進入するよう構成されている。なお、この被動用のレバー部６１ａの進入動作の際には、被動用のレバー部６１ａの先端部が、レバー部７３ａの自由端部に形成された円錐台形の斜面にガイドされる。よって、この被動用のレバー部６１ａの進入動作の際には、被動用のレバー部６１ａとレバー部７３ａとが衝突して移動動作が妨げられることを避けることができる。
【０１０１】
また、被動用のレバー部６１ａには、レバー部７３ａと当接するのと反対側の側面の自由端部分に、カム部９０ａのカム斜面に摺接して従動されるためのフォロア斜面を形成する。
【０１０２】
さらに、解除操作機構を構成するため、図６及び図７に示すように、ＣＣＤ保持枠９０の内面部には、バリア駆動環６１に突設した被動用のレバー部６１ａに対向する所定位置に、連動操作用のカム部９０ａを立設する。
【０１０３】
この連動操作用のカム部９０ａは，被動用のレバー部６１ａの外周面に沿うように対応して配置された扁平柱状（厚肉板を柱状にした形状）に形成されている。この連動操作用のカム部９０ａの自由端部には、被動用のレバー部６１ａから離間した縦側面から、被動用のレバー部６１ａに隣接する縦側面の中間所定位置にかけて斜状に切欠されたカム斜面が形成されている。
【０１０４】
上述のように構成された本第２実施の形態に係わるデジタルカメラでは、図６及び図８に示す、撮影状態から沈胴状態へ移行する動作の開始の際に、解除操作機構がストッパ機構を解除動作させる。これにより、本第２実施の形態に係わるデジタルカメラでは、制止用機構の制止状態が解除され、バリア駆動環６１と２群地板７１とが相対的に接近して沈胴状態へ移行可能となる。
【０１０５】
この解除操作機構がストッパ機構を解除する動作では、まず、バリア駆動環６１が沈胴動作でＣＣＤ保持枠９０側へ接近すると、連動操作用のカム部９０ａのカム斜面に被動用のレバー部６１ａのフォロア斜面が摺接する。
【０１０６】
すると、この解除操作機構の被動用のレバー部６１ａは、連動操作用のカム部９０ａのカム斜面にガイドされて、図９の矢印Ｊ方向に、バリア駆動環６１と一体となって回転するよう従動する。このとき、被動用のレバー部６１ａは、そのフォロア斜面を設けた縦側面と反対側の縦側面がレバー部７３ａと当たっている。
【０１０７】
このため、解除操作機構の被動用のレバー部６１ａは、矢印Ｊ方向の従動回転動作によってレバー部７３ａを押す連動動作により、ストッパ機構のロック部材７３を制止状態（図８状態）から開放状態（図９の状態）へ移動する。これにより、制止用機構（突起部７２ａの延出動作をロック部材７３が制止可能とした手段）の制止状態が解除される。
【０１０８】
この後、２群地板７１と絞り地板７２との間隔を狭めるように移動すると、２群レンズ５２は、絞り羽根７６が全開状態に開いてできた空間内へ入り込み、図７に示す沈胴状態へ移行する。
【０１０９】
なお、沈胴状態から撮影状態へ移行する場合には、上述とは逆の動作によって行うことができる。
【０１１０】
以上詳述したように、絞りユニットと２群ユニットとが撮影状態で近づかないようにするロック機構は、絞りシャッタの羽根の駆動機構とは別に、ズームのアクチュエータで撮影状態から沈胴状態に移り変わる間で作動する。このため、この沈胴式鏡筒付きデジタルカメラでは、絞りシャッタの羽根の駆動状態に関係なくワイドからテレの撮影状態において、絞りシャッタの羽根とレンズやレンズ保持枠との当たり防止ができる。
【０１１１】
また、この沈胴式鏡筒付きデジタルカメラでは、虹彩絞りの駆動源にステッピングモータを使用した場合でも、強制的に虹彩絞りを動かすことが無いので、ステッピングモータが脱調して制御が狂うことがない。
【産業上の利用可能性】
【０１１２】
本発明は、デジタルカメラに用いる沈胴式カメラの鏡筒以外に、銀塩カメラやビデオカメラ、カメラ機能付携帯機器、その他の光学機器や光学機器を含む装置に用いられる鏡筒機構に利用できる。
【符号の説明】
【０１１３】
２  ２群レンズ
１１  バリア駆動環
２１  ２群地板
２１ｄ  ストッパー部
２２  絞り地板
２３  ロック部材
２３ａ  カム部
２４  トーションスプリング
２６  絞り羽根
３６  ステッピングモータ
【図１】
0005430259.tif 000002
【図２】
0005430259.tif 000003
【図３】
0005430259.tif 000004
【図４】
0005430259.tif 000005
【図５】
0005430259.tif 000006
【図６】
0005430259.tif 000007
【図７】
0005430259.tif 000008
【図８】
0005430259.tif 000009
【図９】
0005430259.tif 000010